Podtech/llm-jp-corpus-v4-ja_patent huggingface dataset:
【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
複数種類の信号成分からなる情報データを入力する入力手段と、
前記複数種類の信号成分に含まれる第１の信号成分を用いることなく、該第１の信号成分とは異なる第２の信号成分を用いて、該第１の信号成分に電子透かし情報を埋め込む方法を制御する制御手段とを具備することを特徴とする情報処理装置。
【請求項２】
前記情報データは、複数種類の周波数成分からなることを特徴とする請求項１に記載の情報処理装置。
【請求項３】
前記情報データは、輝度成分と色差成分とからなることを特徴とする請求項１に記載の情報処理装置。
【請求項４】
前記情報データは、赤色成分、緑色成分、青色成分からなることを特徴とする請求項１に記載の情報処理装置。
【請求項５】
前記制御手段は、前記第２の信号成分を用いて、前記第１の信号成分に埋め込む電子透かし情報の埋め込み位置を決定することを特徴とする請求項１〜４の何れか１項に記載の情報処理装置。
【請求項６】
前記制御手段は、前記第２の信号成分を用いて、前記第１の信号成分に埋め込む電子透かし情報の埋め込みパターンを制御することを特徴とする請求項１〜４の何れか１項に記載の情報処理装置。
【請求項７】
更に、前記制御手段により決定された埋め込み方法に基づいて、前記第２の信号成分に対して前記電子透かし情報を埋め込む埋め込み手段を具備することを特徴とする請求項１に記載の情報処理装置。
【請求項８】
前記入力手段は、ウェーブレット変換された情報データを入力することを特徴とする請求項１に記載の情報処理装置。
【請求項９】
電子透かし情報の埋め込まれた画像データを入力する入力手段と、
前記画像データを構成する第１の信号成分を用いて、該第１の信号成分とは異なる第２の信号成分に埋め込まれた電子透かし情報の埋め込み方法を判別する判別手段とを具備することを特徴とする情報処理装置。
【請求項１０】
複数種類の信号成分からなる情報データを入力し、
前記複数種類の信号成分に含まれる第１の信号成分を用いることなく、該第１の信号成分とは異なる第２の信号成分を用いて、該第１の信号成分に電子透かし情報を埋め込む方法を制御することを特徴とする情報処理方法。
【請求項１１】
電子透かし情報の埋め込まれた画像データを入力し、
前記画像データを構成する第１の信号成分を用いて、該第１の信号成分とは異なる第２の信号成分に埋め込まれた電子透かし情報の埋め込み方法を判別することを特徴とする情報処理方法。
【請求項１２】
請求項１〜９の何れか１項に記載の情報処理装置の機能をコンピュータに実現させるためのプログラムを記録したコンピュータ読出可能な記憶媒体。
【手続補正２】
【補正対象書類名】明細書
【補正対象項目名】００１５
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正書】
【提出日】平成17年4月5日(2005.4.5)
【手続補正１】
【補正対象書類名】明細書
【補正対象項目名】発明の名称
【補正方法】変更
【補正の内容】
【発明の名称】画像読取装置
【手続補正２】
【補正対象書類名】明細書
【補正対象項目名】特許請求の範囲
【補正方法】変更
【補正の内容】
【特許請求の範囲】
【請求項１】
固定の解像度で原稿画像を読取るプレスキャンと、該プレスキャンで読取られた画像をもとに設定される解像度で原稿画像を本スキャンする画像読取装置において、
上記プレスキャンで読取られた画像をプレビュー画面として表示するモニタ画面と、
上記モニタ画面上で上記プレビュー画面の枠をマウスを用いてドラッグし、そしてドロップすることで上記プレビュー画面の大きさを変更する変更手段と、
上記変更手段によって変更されたプレビュー画面の大きさと上記変更手段による変更がなされる前のプレビュー画面の大きさの比を算出し、該比と上記プレスキャンの解像度を乗算して上記本スキャンの解像度を設定する設定手段と、
を有し、
上記設定手段が設定した解像度に基づき原稿画像を本スキャンして画像を取り込むことを特徴とする画像読取装置。
【請求項２】
固定の解像度で原稿画像を読取るプレスキャンと、該プレスキャンで読取られた画像をもとに設定される解像度で原稿画像を本スキャンする画像読取装置において、
上記プレスキャンで読取られた画像をプレビュー画面として表示するモニタ画面と、
上記モニタ画面上で上記プレビュー画面の枠をマウスを用いてドラッグし、そしてドロップすることで上記プレビュー画面の大きさを変更する変更手段と、
上記変更手段によって変更されたプレビュー画面の大きさと上記変更手段による変更がなされる前のプレビュー画面の大きさの比を算出し、該比と上記プレスキャンの解像度を乗算して上記本スキャンの解像度を設定する設定手段と、
を有し、
上記設定手段が設定した解像度に基づき原稿画像を本スキャンして画像を取込み、該取込んだ画像と上記解像度とを上記モニタ画面上に表示することを特徴とする画像読取装置。
【手続補正３】
【補正対象書類名】明細書
【補正対象項目名】０００１
【補正方法】変更
【補正の内容】
【０００１】  
【発明の属する技術分野】
本発明は、画像を電子画像として取り込むときの解像度の設定が可能な画像読取装置に関する。
【手続補正４】
【補正対象書類名】明細書
【補正対象項目名】０００５
【補正方法】変更
【補正の内容】
【０００５】  
【課題を解決するための手段】
本発明の請求項１記載の画像読取装置は、固定の解像度で原稿画像を読取るプレスキャンと、該プレスキャンで読取られた画像をもとに設定される解像度で原稿画像を本スキャンする画像読取装置において、
上記プレスキャンで読取られた画像をプレビュー画面として表示するモニタ画面と、
上記モニタ画面上で上記プレビュー画面の枠をマウスを用いてドラッグし、そしてドロップすることで上記プレビュー画面の大きさを変更する変更手段と、
上記変更手段によって変更されたプレビュー画面の大きさと上記変更手段による変更がなされる前のプレビュー画面の大きさの比を算出し、該比と上記プレスキャンの解像度を乗算して上記本スキャンの解像度を設定する設定手段と、
を有し、
上記設定手段が設定した解像度に基づき原稿画像を本スキャンして画像を取り込むことを特徴とする。
【手続補正５】
【補正対象書類名】明細書
【補正対象項目名】０００６
【補正方法】変更
【補正の内容】
【０００６】
本発明の請求項２記載の画像読取装置は、固定の解像度で原稿画像を読取るプレスキャンと、該プレスキャンで読取られた画像をもとに設定される解像度で原稿画像を本スキャンする画像読取装置において、
上記プレスキャンで読取られた画像をプレビュー画面として表示するモニタ画面と、
上記モニタ画面上で上記プレビュー画面の枠をマウスを用いてドラッグし、そしてドロップすることで上記プレビュー画面の大きさを変更する変更手段と、
上記変更手段によって変更されたプレビュー画面の大きさと上記変更手段による変更がなされる前のプレビュー画面の大きさの比を算出し、該比と上記プレスキャンの解像度を乗算して上記本スキャンの解像度を設定する設定手段と、
を有し、
上記設定手段が設定した解像度に基づき原稿画像を本スキャンして画像を取込み、該取込んだ画像と上記解像度とを上記モニタ画面上に表示することを特徴とする。
【手続補正６】
【補正対象書類名】明細書
【補正対象項目名】０００７
【補正方法】削除
【補正の内容】
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
供給部品を吸着ノズルにより吸着し、基板上に搭載する部品搭載装置において、
基板上に搭載された部品の高さを測定する高さセンサと、
部品搭載後、部品搭載位置における高さセンサの出力信号に基づいて該部品搭載位置での部品の有無を検出する手段と、
を有することを特徴とする部品搭載装置。
【請求項２】
基板上にすべての部品を搭載したのちに部品の有無を検査することを特徴とする請求項１に記載の部品搭載装置。
【請求項３】
基板上に部品を搭載するごとに部品の有無を検査することを特徴とする請求項１に記載の部品搭載装置。
【請求項４】
供給部品を吸着ノズルにより吸着し、基板上に搭載する部品搭載装置において、
基板上に搭載された部品の高さを測定する高さセンサを設け、部品搭載後、該高さセンサを用いて部品搭載検査を行うことを特徴とする部品搭載装置。
【手続補正２】
【補正対象書類名】明細書
【補正対象項目名】０００６
【補正方法】変更
【補正の内容】
【０００６】
また、本発明では、供給部品を吸着ノズルにより吸着し、基板上に搭載する部品搭載装置において、基板上に搭載された部品の高さを測定する高さセンサを設け、部品搭載後、該高さセンサを用いて部品搭載検査を行う構成も採用している。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
複数の入力と少なくとも1つの出力を備え前記複数の入力のいずれかを前記出力に接続する光信号経路切替手段と、前記光信号切替手段からの光信号を増幅する光増幅手段とを有する光伝送装置において、
前記光信号経路切替手段からの光信号の一部を分岐して出力する光分岐手段と、
前記光分岐手段からの光信号を入力され、当該光信号の大きさが所定の値よりも大きいか否かを監視する光信号監視手段と、
前記光信号監視手段から前記光信号の大きさが前記所定の値よりも小さいことを通知された場合に、前記光増幅手段に増幅利得を下げるよう指示し、そして予め定めた時間が経過した後で前記光信号切替手段に前記接続の切り替えを指示する制御部を有することを特徴とする光伝送装置。
【請求項２】
複数の入力と少なくとも1つの出力を備え前記複数の入力のいずれかを前記出力に接続する光信号経路切替手段と、前記光信号切替手段からの光信号を増幅する光増幅手段とを有する光伝送装置において、
前記光信号経路切替手段からの光信号の一部を分岐して出力する光分岐手段と、
前記光分岐手段からの光信号を入力され、当該光信号の大きさが所定の値よりも大きいか否かを監視する光信号監視手段と、
前記光信号監視手段から前記光信号の大きさが所定の値よりも小さいことを通知された場合に、前記光増幅手段に増幅利得を下げるよう指示し、さらに前記光信号切替手段に前記接続の切り替えを指示する制御部を有し、
前記光信号経路切替手段は、前記制御部からの切替指示を受けて前記接続の切り替えを始め、予め定めた時間が経過した後で前記接続の切り替えを完了することを特徴とする光伝送装置。
【請求項３】
請求項１または請求項２に記載の光伝送装置であって、
前記予め定めた時間は、前記光増幅手段の増幅利得の緩和時間よりも長いことを特徴とする光伝送装置。
【請求項４】
請求項１乃至請求項３のいずれか一に記載の光伝送装置であって、
前記予め定めた時間は、１ｍｓ以上であることを特徴とする光伝送装置。
【請求項５】
請求項１乃至請求項４のいずれか一に記載の光伝送装置であって、
前記光信号経路切替手段はＬｉＮｂＯ3結晶を材料とする光導波路の電気光学効果を用いた光スイッチであることを特徴とする光伝送装置。
【請求項６】
請求項１乃至請求項４のいずれか一に記載の光伝送装置であって、
前記光信号経路切替手段は石英系光導波路の熱光学効果を用いた光スイッチであることを特徴とする光伝送装置。
【請求項７】
請求項１乃至請求項４のいずれか一に記載の光伝送装置であって、
前記光信号経路切替手段は磁気光学結晶のファラデー回転を利用した光スイッチであることを特徴とする光伝送装置。
【請求項８】
請求項１乃至請求項４のいずれか一に記載の光伝送装置であって、
前記光信号経路切替手段はファイバ可動型光スイッチであることを特徴とする光伝送装置。
【請求項９】
請求項１乃至請求項４のいずれか一に記載の光伝送装置であって、
前記光信号経路切替手段は半導体光増幅器と方向性結合器を用いたゲート型光スイッチであることを特徴とする光伝送装置。
【請求項１０】
光信号を送信する光送信装置と、前記光送信装置の出力を２分する光分岐手段と、２分された前記出力の一方を選択する光信号経路切替手段と、選択された出力の光信号を増幅する光増幅手段と、前記光増幅手段によって増幅された光信号を受信する光受信装置とを有する光伝送システムにおいて、
前記光信号経路切替手段からの光信号の大きさが予め定めた値より大きいか否かを監視する監視手段と、
前記監視手段から前記光信号の大きさが前記予め定めた値より小さいことを通知された場合に、前記光増幅手段に増幅利得を下げるよう指示し、前記指示から予め定めた時間が経過した後に前記光信号経路切替手段にもう一方の前記出力を選択するよう指示することを特徴とする光伝送システム。
【請求項１１】
請求項１０に記載の光伝送システムであって、
前記予め定めた時間は、１ｍｓ以上であることを特徴とする光伝送システム。
【手続補正書】
【提出日】平成17年7月13日(2005.7.13)
【手続補正１】
【補正対象書類名】明細書
【補正対象項目名】請求項２
【補正方法】変更
【補正の内容】
【請求項２】
前記第１遅延及びクロック信号発生手段は、
前記クロック信号がローレベルからハイレベルに遷移する時は、前記クロック信号を第１所定時間だけ遅延させ、前記クロック信号がハイレベルからローレベルに遷移する時は、前記クロック信号を第１所定時間よりも長い第２所定時間だけ遅延させた第１遅延パルスを発生する第１遅延手段と、
前記クロック信号と前記第２遅延手段の出力信号とを論理和を演算する第１論理和手段と、
を具備することを特徴とする請求項１に記載のクロックモニタ回路。
【手続補正書】
【提出日】平成17年3月11日(2005.3.11)
【手続補正１】
【補正対象書類名】明細書
【補正対象項目名】発明の名称
【補正方法】変更
【補正の内容】
【発明の名称】撮像装置および撮像方法
【手続補正２】
【補正対象書類名】明細書
【補正対象項目名】特許請求の範囲
【補正方法】変更
【補正の内容】
【特許請求の範囲】
【請求項１】
インターレース読み出しとフレーム読み出しとの動作切り換えが可能な撮像素子と、
上記撮像素子がフレーム読み出しを行う際に、上記撮像素子に対する露光を禁止する露光禁止手段と、
上記撮像素子より出力される撮像信号のレベルを制御する露出制御手段と、
上記露光禁止手段の動作によって不足する露出の補正情報に基づき、上記撮像素子がフレーム読み出しを行う前に上記露出制御手段の動作を制御し、上記フレーム読み出しに係る露出を上記インターレース読み出しに係る露出と一致させる露出補正手段と
を備えることを特徴とする撮像装置。
【請求項２】
上記露光禁止手段の動作による上記撮像信号のレベル変化に基づき、上記露出の補正情報を得る補正情報取得手段をさらに備える
ことを特徴とする請求項１に記載の撮像装置。
【請求項３】
上記補正情報取得手段は、上記露出補正手段が上記露出制御手段の動作を制御する直前に上記補正情報を得る
ことを特徴とする請求項２に記載の撮像装置。
【請求項４】
上記補正情報取得手段は、上記フレーム読み出しを行う際の上記露光禁止手段の動作による上記撮像信号のレベル変化に基づき、上記露出の補正情報を得ると共に、
上記露出補正手段は、上記補正情報取得手段で前回得られた補正情報を使用して上記露出制御手段の動作を制御する
ことを特徴とする請求項２に記載の撮像装置。
【請求項５】
上記露光禁止手段は、メカシャッターである
ことを特徴とする請求項１に記載の撮像装置。
【請求項６】
上記露光禁止手段は、絞りである
ことを特徴とする請求項１に記載の撮像装置。
【請求項７】
上記露出制御手段は、絞り、上記撮像素子の電子シャッター機能およびＡＧＣ回路の一部または全部で構成される
ことを特徴とする請求項１に記載の撮像装置。
【請求項８】
インターレース読み出しとフレーム読み出しとの動作切り換えが可能な撮像素子がフレーム読み出しを行う際に、上記撮像素子に対する露光を禁止する撮像方法であって、
上記露光が禁止されることによって不足する露出の補正情報に基づき、上記撮像素子がフレーム読み出しを行う前に上記撮像素子より出力される撮像信号のレベルを制御し、上記フレーム読み出しに係る露出を上記インターレース読み出しに係る露出と一致させる
ことを特徴とする撮像方法。
【手続補正３】
【補正対象書類名】明細書
【補正対象項目名】０００１
【補正方法】変更
【補正の内容】
【０００１】
【発明の属する技術分野】
この発明は、ディジタルスチルカメラ等に適用して好適な撮像装置および撮像方法に関する。詳しくは、インターレース読み出しとフレーム読み出しとの動作切り換えが可能な撮像素子を有し、撮像素子がフレーム読み出しを行う際に撮像素子に対する露光を禁止するものであって、露光禁止動作によって変化する露出を補正することによって、フレーム読み出しに係る露出をインターレース読み出しに係る露出と一致させ、フレーム読み出しによって出力される撮像信号による画像の明るさが最適となるようにした撮像装置および撮像方法に係るものである。
【手続補正４】
【補正対象書類名】明細書
【補正対象項目名】００１２
【補正方法】変更
【補正の内容】
【００１２】
そこで、この発明では、フレーム読み出しに係る露出を、インターレース読み出しに係る露出と一致させ、フレーム読み出しによって出力される撮像信号による画像の明るさが最適となるようにした撮像装置および撮像方法を提供することを目的とする。
【手続補正５】
【補正対象書類名】明細書
【補正対象項目名】００１３
【補正方法】変更
【補正の内容】
【００１３】
【課題を解決するための手段】
この発明に係る撮像装置は、インターレース読み出しとフレーム読み出しとの動作切り換えが可能な撮像素子と、撮像素子がフレーム読み出しを行う際に、この撮像素子に対する露光を禁止する露光禁止手段と、撮像素子より出力される撮像信号のレベルを制御する露出制御手段と、露光禁止手段の動作によって不足する露出の補正情報に基づき、撮像素子がフレーム読み出しを行う前に露出制御手段の動作を制御し、フレーム読み出しに係る露出をインターレース読み出しに係る露出と一致させる露出補正手段とを備えるものである。
この発明に係る撮像方法は、インターレース読み出しとフレーム読み出しとの動作切り換えが可能な撮像素子がフレーム読み出しを行う際に、この撮像素子に対する露光を禁止する撮像方法であって、露光が禁止されることによって不足する露出の補正情報に基づき、撮像素子がフレーム読み出しを行う前にこの撮像素子より出力される撮像信号のレベルを制御し、フレーム読み出しに係る露出をインターレース読み出しに係る露出と一致させるものである。
【手続補正書】
【提出日】平成17年3月3日(2005.3.3)
【手続補正１】
【補正対象書類名】明細書
【補正対象項目名】請求項９
【補正方法】変更
【補正の内容】
【請求項９】
読取原稿を照明可能な照明光源と、この装置を操作するための操作部と、本体側接続部とを有する画像読取装置の本体と、
撮像手段と、撮影した画像を記録媒体に記録する記録手段と、前記本体側接続部に接続可能なカメラ側接続部とを有するデジタルカメラとから成り、
前記本体側接続部と前記カメラ側接続部とが接続された状態で、前記操作部の操作に応じて、前記照明光源が前記読取原稿を照明した光を、前記撮像手段に検出させることにより、前記読取原稿に記録された記録画像を読取ることが可能になることを特徴とする画像読取システム。
【手続補正書】
【提出日】平成17年8月9日(2005.8.9)
【手続補正１】
【補正対象書類名】明細書
【補正対象項目名】特許請求の範囲
【補正方法】変更
【補正の内容】
【特許請求の範囲】
【請求項１】
受光面に被写体像が結像することにより被写体像を表す画像データを出力する固体電子撮像素子，
上記受光面が，傾斜自在になるように上記固体電子撮像素子を支持する固体電子撮像素子支持機構，
あおり角およびあおり方向をそれぞれ検出するあおり検出手段，ならびに
上記あおり検出手段により検出されたあおり角およびあおり方向にもとづいて，上記固体電子撮像素子支持機構を制御するあおり制御手段，
を備えた電子カメラ。
【請求項２】
被写体を上記固体電子撮像素子の受光面上に結像する撮像レンズを含む蛇腹ユニットをさらに備え，
上記あおり検出手段が，上記蛇腹ユニットのあおり角およびあおり量を検出するものである，
請求項１に記載の電子カメラ。
【請求項３】
ストロボ発光装置，および
上記ストロボ発光装置を発光させるための駆動電圧を充電するストロボ・コンデンサをさらに備え，
上記あおり制御手段の駆動電圧が上記ストロボ・コンデンサから供給される，請求項１に記載の電子カメラ。
【請求項４】
上記固体電子撮像素子から出力される画像データによって表される被写体像を表示する表示装置，
あおり確認指令を入力するあおり確認指令入力手段，および
上記あおり確認指令入力手段から入力されたあおり確認指令に応答して，上記表示装置に表示されている被写体像の一部を拡大して表示するように上記表示装置を制御する表示制御手段，
をさらに備えた請求項１に記載の電子カメラ。
【請求項５】
異なる焦点距離において同一の被写体を複数回撮像し，複数駒の被写体像を表す画像データを出力する撮像手段，
上記撮像手段から出力される画像データによって表される複数駒の被写体像のそれぞれを上記複数駒数の各部分領域に分割し，それぞれの駒の被写体像における各部分領域のうち合焦している部分領域を表す部分領域画像データを抽出する部分領域画像データ抽出手段，および
上記部分領域画像データ抽出手段によって抽出された部分領域画像データによって表される部分領域を組み合わせて，一駒の被写体像を表す合成画像データを生成して出力する画像合成手段，
を備えた電子カメラ。
【請求項６】
あおり角およびあおり方向をそれぞれ検出するあおり検出手段，
被写体を撮像し，被写体像を表す画像データを出力する撮像手段，
上記あおり検出手段によって検出されたあおり角およびあおり方向にもとづいて上記被写体像の領域ごとのエッジ強調量を算出するエッジ強調量算出手段，ならびに
上記エッジ強調量算出手段によって算出されたエッジ強調量にもとづいて，上記撮像手段から出力された画像データによってあらわされる被写体像をエッジ強調するエッジ強調手段，
を備えた電子カメラ。
【請求項７】
受光面に被写体像が結像することにより被写体像を表す画像データを出力する固体電子撮像素子の上記受光面が，傾斜自在になるように上記固体電子撮像素子を支持しておき，
あおり角およびあおり方向をそれぞれ検出し，
検出されたあおり角およびあおり方向にもとづいて，上記固体電子撮像素子の支持を制御する，
電子カメラの制御方法。
【請求項８】
異なる焦点距離において同一の被写体を複数回撮像して，複数駒の被写体像を表す画像データを得，
得られた画像データによって表される複数駒の被写体像のそれぞれを上記複数駒数の各部分領域に分割し，それぞれの駒の被写体像における各部分領域のうち合焦している部分領域を表す部分領域画像データを抽出し，
抽出された部分領域画像データによって表される部分領域を組み合わせて，一駒の被写体像を表す合成画像データを生成して出力する，
電子カメラの制御方法。
【請求項９】
あおり角およびあおり方向をそれぞれ検出し，
被写体を撮像し，被写体像を表す画像データを得，
検出されたあおり角およびあおり方向にもとづいて上記被写体像の領域ごとのエッジ強調量を算出し，
算出されたエッジ強調量にもとづいて，撮像によって得られた画像データによって表される被写体像をエッジ強調する，
電子カメラの制御方法。
【請求項１０】
固体電子撮像素子を支持する固体電子撮像素子支持機構，
ストロボ発光装置，および
上記ストロボ発光装置を発光させるための駆動電圧を用いて，上記固体電子撮像素子支持機構を制御する制御手段，
を備えた電子カメラ。
【請求項１１】
上記固体電子撮像素子支持機構が圧電素子である，請求項10に記載の電子カメラ。
【請求項１２】
被写体を撮像し，被写体像を表す画像データを出力する撮像手段，
上記撮像手段から出力される画像データによって表される被写体像を画像表示領域に表示する表示装置，および
上記画像表示領域に表示されている被写体像の一部を拡大して上記画像表示領域に表示する制御手段，
を備えた電子カメラ。
【請求項１３】
上記制御手段は，
上記画像表示領域に表示されている被写体像の一部を上記画像表示領域の領域の一部に拡大表示するものである，
請求項12に記載の電子カメラ。
【請求項１４】
上記制御手段は，
上記画像表示領域に表示されている被写体像の複数の部分を拡大して上記画像表示領域に表示するものである，
請求項12に記載の電子カメラ。
【請求項１５】
上記制御手段は，
上記被写体像の中央部分とその他の部分を拡大して上記画像表示領域に表示するものである，請求項12に記載の電子カメラ。
【請求項１６】
上記制御手段は，
上記被写体像の中央部分とその周辺部分を拡大して上記画像表示領域に表示するものである，
請求項12に記載の電子カメラ。
【請求項１７】
固体電子撮像素子指示機構を用いて固体電子撮像素子を支持しておき，
ストロボ発光装置を発光させるための駆動電圧を用いて，上記固体電子撮像素子支持機構を制御する，
電子カメラの制御方法。
【請求項１８】
被写体を撮像し，被写体像を表す画像データを得，
撮像によって得られた画像データによって表される被写体像を画像表示領域に表示し，
上記画像表示領域に表示されている被写体像の一部を拡大して上記画像表示領域に表示する，
電子カメラの制御方法。
【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】
原画像の明るさに関するヒストグラムを作成し、
前記明るさに関するヒストグラムから、明るさを示す成分に対する補正条件を設定し、
前記明るさを示す成分に対する補正条件に応じて、色みを示す成分に対する補正条件を設定し、
前記明るさを示す成分に対する補正条件および前記色みを示す成分に対する補正条件に基づき、３次元色空間における前記原画像の画素値をシフトすることで前記原画像を補正
することを特徴とする画像処理方法。
【請求項２】
さらに、前記明るさに関するヒストグラムに基づきハイライト、シャドーポイントを求め、
前記求められたハイライト、シャドーポイントに基づき色かぶり補正を行うことを特徴とする請求項１記載の画像処理方法。
【請求項３】
前記補正された画像データに対して出力デバイスに応じた色補正を行い、
前記色補正された画像データ基づき画像出力を行うことを特徴とする請求項１記載の画像処理方法。
【請求項４】
原画像のハイライトポイントおよびシャドーポイントに基づき画像補正処理を行う画像処理方法であって、
原画像の色相に関するヒストグラムを作成し、
前記作成された色相に関するヒストグラムの形状に基づき、前記原画像に対して画像補正処理を行うか否かを判定し、
前記判定結果に応じて前記画像処理補正処理を制御することを特徴とする画像処理方法。
【請求項５】
前記色相に関するヒストグラムの分散を求め、該分散により前記画像補正処理を行うか否かを判定することを特徴とする請求項４記載の画像処理方法。
【請求項６】
前記原画像を示す描画命令を入力し、
前記描画命令を解析し、前記原画像がイメージであるか否かを判定することを特徴とする請求項４記載の画像処理方法。
【請求項７】
原画像の明るさに関するヒストグラムを作成する作成手段と、
前記明るさに関するヒストグラムから、明るさを示す成分に対する補正条件を設定する第１の設定手段と、
前記明るさを示す成分に対する補正条件に応じて、色みを示す成分に対する補正条件を設定する第２の設定手段と、
前記明るさを示す成分に対する補正条件および前記色みを示す成分に対する補正条件に基づき、３次元色空間における前記原画像の画素値をシフトすることで前記原画像を補正する画像補正処理手段とを有することを特徴とする画像処理装置。
【請求項８】
原画像のハイライトポイントおよびシャドーポイントに基づき画像補正処理を行う画像補正処理手段と、
原画像の色相に関するヒストグラムを作成する作成手段と、
前記作成された色相に関するヒストグラムの形状に基づき、前記原画像に対して画像補正処理を行うか否かを判定する判定手段と、
前記判定結果に応じて前記画像処理補正処理を制御する制御手段とを有することを特徴とする画像処理装置。
【請求項９】
コンピュータで読み取り可能にプログラムを記録する記録媒体であって、
原画像の明るさに関するヒストグラムを作成し、
前記明るさに関するヒストグラムから、明るさを示す成分に対する補正条件を設定し、
前記明るさを示す成分に対する補正条件に応じて、色みを示す成分に対する補正条件を設定し、
前記明るさを示す成分に対する補正条件および前記色みを示す成分に対する補正条件に基づき、３次元色空間における前記原画像の画素値をシフトすることで前記原画像を補正するプログラムを記録することを特徴とする記録媒体。
【請求項１０】
コンピュータで読み取り可能にプログラムを記録する記録媒体であって、
原画像の色相に関するヒストグラムを作成し、
前記作成された色相に関するヒストグラムの形状に基づき、前記原画像に対して画像補正処理を行うか否かを判定し、
前記判定結果に応じて、原画像のハイライトポイントおよびシャドーポイントに基づく画像処理補正処理を制御するプログラムを記録することを特徴とする記録媒体。
【手続補正２】
【補正対象書類名】明細書
【補正対象項目名】０００９
【補正方法】変更
【補正の内容】
【０００９】
【課題を解決するための手段】
本願第１の発明は、原画像の明るさに関するヒストグラムを作成し、前記明るさに関するヒストグラムから、明るさを示す成分に対する補正条件を設定し、前記明るさを示す成分に対する補正条件に応じて、色みを示す成分に対する補正条件を設定し、前記明るさを示す成分に対する補正条件および前記色みを示す成分に対する補正条件に基づき、３次元色空間における前記原画像の画素値をシフトすることで前記原画像を補正することを特徴とする画像処理方法。
【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
原画像の画素データに基づきヒストグラムを作成し、
前記ヒストグラムのハイライトポイントおよびシャドウポイントを算出し、
前記算出されたハイライトポイントおよびシャドウポイントに基づき画像処理補正を行うことを特徴とする画像処理方法。
【請求項２】
前記画像処理補正は、原画像の色かぶりを補正する補正であることを特徴とする請求項１記載の画像処理方法。
【請求項３】
前記原画像の画像データサイズに応じてサンプリング条件を設定し、
前記設定されたサンプリング条件に基づき原画像をサンプリングし、
前記サンプリングされた画素データに基づきヒストグラムを作成することを特徴とする請求項１記載の画像処理方法。
【請求項４】
前記サンプリングは、ラスター方向かカラム方向の少なくとも一方向に規則的もしくはランダムに画素を間引くことを特徴とする請求項３記載の画像処理方法。
【請求項５】
前記原画像の色バランスを補正する画像処理方法であって、
原画像の画素データに基づき明るさを示す色成分データを作成し、
前記色成分データに基づき、前記原画像のヒストグラムを作成し、
前記ヒストグラムのハイライトポイントおよびシャドウポイントに相当する明るさを示す色成分データ値を求め、
前記求められた色成分データ値に基づき色バランス補正条件を設定することを特徴とする画像処理方法。
【請求項６】
前記求められた明るさを示す色成分データ値を示す画素データの色みを示す色成分データに基づき前記色バランス補正条件を設定することを特徴とする請求項５記載の画像処理方法。
【請求項７】
前記設定された色補正条件に基づき色補正された画像データに対して、出力デバイスに応じた色補正を行い、
前記色補正された画像データに基づき画像出力を行うことを特徴とする請求項６記載の画像処理方法。
【請求項８】
前記原画像の画像データサイズに応じてサンプリング条件を設定し、
前記設定されたサンプリング条件に基づき原画像をサンプリングし、
前記サンプリングされた画素データに基づきヒストグラムを作成することを特徴とする請求項５記載の画像処理方法。
【請求項９】
原画像の画素データに基づきヒストグラムを作成する作成手段と、
前記ヒストグラムのハイライトポイントおよびシャドウポイントを算出する算出手段と、
前記算出されたハイライトポイントおよびシャドウポイントに基づき画像処理補正を行う画像処理補正手段とを有する画像処理装置。
【請求項１０】
画像処理を行うプログラムを記録する記録媒体であって、
原画像の画素データに基づきヒストグラムを作成し、
前記ヒストグラムのハイライトポイントおよびシャドウポイントを算出し、
前記算出されたハイライトポイントおよびシャドウポイントに基づき画像処理補正を行うプログラムを記録することを特徴とする記録媒体。
【手続補正２】
【補正対象書類名】明細書
【補正対象項目名】００２０
【補正方法】変更
【補正の内容】
【００２０】
【課題を解決するための手段】
上記目的を達成するために本願第１の発明は、原画像の画素データに基づきヒストグラムを作成し、前記ヒストグラムのハイライトポイントおよびシャドウポイントを算出し、前記算出されたハイライトポイントおよびシャドウポイントに基づき画像処理補正を行うことを特徴とする。
【手続補正３】
【補正対象書類名】明細書
【補正対象項目名】００２１
【補正方法】変更
【補正の内容】
【００２１】
また、本願第２の発明は、前記原画像の色バランスを補正する画像処理方法であって、原画像の画素データに基づき明るさを示す色成分データを作成し、前記色成分データに基づき、前記原画像のヒストグラムを作成し、前記ヒストグラムのハイライトポイントおよびシャドウポイントに相当する明るさを示す色成分データ値を求め、前記求められた色成分データ値に基づき色バランス補正条件を設定することを特徴とする。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
複数のプログラムと該プログラムの選局情報および番組情報とが複数の伝送チャンネルに分割されて伝送されるデジタル放送を受信するデジタル放送受信機であって、
複数の受信回路を備え、
前記プログラムの受信処理を行っていない受信回路により前記選局情報および番組情報を受信することを特徴とするデジタル放送受信機。
【請求項２】
さらに保持手段を備え、前記プログラムの受信処理を行っていない受信回路により受信した前記選局情報および番組情報を保持し、常に最新の選局情報を保持することを特徴とする請求項１記載のデジタル放送受信機。
【請求項３】
前記複数の受信回路の各々は、前記プログラムを受信処理する機能と、前記選局情報および番組情報を受信処理する機能とを有することを特徴とする請求項１記載のデジタル放送受信機。
【請求項４】
前記複数の受信回路のうち１つは、前記選局情報および番組情報のみを受信処理する機能を有するものであることを特徴とする請求項１記載のデジタル放送受信機。
【請求項５】
前記番組情報を受信処理して作成した番組ガイド用のビデオ信号と、前記プログラムを受信処理して作成したプログラムのビデオ信号とを合成する手段を備えることを特徴とする請求項１記載のデジタル放送受信機。
【請求項６】
前記プログラムのビデオ信号に、オーバレイ処理により、前記番組ガイド用のビデオ信号を合成することを特徴とする請求項５記載のデジタル放送受信機。
【請求項７】
前記プログラムのビデオ信号に、子画面処理により、前記番組ガイド用のビデオ信号を合成することを特徴とする請求項５記載のデジタル放送受信機。
【請求項８】
前記複数の伝送チャンネルの各々では、複数のプログラムと該プログラムの選局情報および番組情報とが多重化されて同時に伝送されていることを特徴とする請求項１記載のデジタル放送受信機。
【請求項９】
前記複数のプログラムはプログラム専用伝送チャンネルにより伝送され、前記選局情報および番組情報は選局情報および番組情報専用伝送チャンネルにより伝送されることを特徴とする請求項１記載のデジタル放送受信機。
【請求項１０】
複数のプログラムと該プログラムの選局情報および番組情報とが複数の伝送チャンネルに分割されて伝送されるデジタル放送をデジタル放送受信機で受信する際に、
前記デジタル放送受信機に複数の受信回路を設けておき、
前記プログラムの受信処理を行っていない受信回路により前記選局情報および番組情報を受信して、常に最新の選局情報を取得し、
所望のプログラムの選局指令が入力されたときに、前記最新の選局情報を用いて該所望のプログラムの選局を行うことを特徴とするデジタル放送受信機の選局方法。
【請求項１１】
前記複数の受信回路のうち１つは、前記選局情報および番組情報のみを受信処理することを特徴とする請求項１０記載のデジタル放送受信機の選局方法。
【請求項１２】
複数のプログラムと該プログラムの選局情報および番組情報とを複数の伝送チャンネルに分割して伝送する際に、該複数のプログラムをプログラム専用伝送チャンネルで伝送し、該選局情報および番組情報を選局情報および番組情報専用伝送チャンネルで伝送することを特徴とするデータ伝送方法。
【請求項１３】
前記複数の伝送チャンネルの各々は、複数のプログラムと該プログラムの選局情報および番組情報とを多重化し、同時に伝送することを特徴とする請求項１２記載のデータ伝送方法。
【手続補正２】
【補正対象書類名】明細書
【補正対象項目名】００１０
【補正方法】変更
【補正の内容】
【００１０】
【課題を解決するための手段】
本発明に係るデジタル放送受信機は、複数のプログラムと該プログラムの選局情報および番組情報とが複数の伝送チャンネルに分割されて伝送されるデジタル放送を受信するデジタル放送受信機であって、複数の受信回路を備え、前記プログラムの受信処理を行っていない受信回路により前記選局情報および番組情報を受信する。
このデジタル放送受信機は、さらに保持手段を備え、前記プログラムの受信処理を行っていない受信回路により受信した前記選局情報および番組情報を保持し、常に最新の選局情報を保持する。
【手続補正書】
【提出日】平成17年3月15日(2005.3.15)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】
撮像手段により撮像される被写体の撮像画像の記録と再生とを行い、前記被写体の撮像画像が、表示手段に表示される撮像装置において、
スケジュール入力モードで、識別情報とメッセージ情報からなるスケジュール情報が入力される情報入力手段と、
該情報入力手段により入力されるスケジュール情報が格納される情報格納手段と、
タイトル作成モードで、前記情報格納手段から、前記識別情報に基づき、前記撮像画像のタイトルとなるメッセージ情報を検索するタイトル検索手段と、
該タイトル検索手段が検索したメッセージ情報を、前記撮像画像とともに前記表示手段に表示するタイトル付加制御手段と、
スケジュール表示モードで、前記情報格納手段から前記スケジュール情報を読み出して、スケジュール表として前記表示手段に表示するスケジュール表示手段と
を有することを特徴とする撮像装置。
【請求項２】
請求項１記載の撮像装置において、
前記識別情報に日付・時刻情報が含まれていることを特徴とする撮像装置。
【請求項３】
請求項１記載の撮像装置において、
前記識別情報にタイトルとしての使用の可否情報が含まれていることを特徴とする撮像装置。
【請求項４】
請求項１記載の撮像装置において、
前記タイトル付加制御手段は、前記メッセージ情報を前記撮像画像に挿入重畳することを特徴とする撮像装置。
【手続補正３】
【補正対象書類名】明細書
【補正対象項目名】０００５
【補正方法】変更
【補正の内容】
【０００５】
【課題を解決しようとする手段】
前記目的を達成するために、本発明の撮像装置は、スケジュール入力モードで、識別情報とメッセージ情報からなるスケジュール情報が入力される情報入力手段と、情報入力手段により入力されるスケジュール情報が格納される情報格納手段と、タイトル作成モードで、情報格納手段から、識別情報に基づき、撮像画像のタイトルとなるメッセージ情報を検索するタイトル検索手段と、タイトル検索手段が検索したメッセージ情報を、撮像画像とともに表示手段に表示するタイトル付加制御手段と、スケジュール表示モードで、情報格納手段からスケジュール情報を読み出して、スケジュール表として表示手段に表示するスケジュール表示手段とを有するものである。
【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
後方に第１流入口、前方に第１流出口及びノズル突出口を設けたシリンダと、受圧部と洗浄水流入口と洗浄水噴出口を有して前記受圧部が受ける前記第１流入口部からの供給水圧により前記シリンダ内を進退自在とされた水圧式ノズルと、前記第１流出口と前記洗浄水流入口とを接続する接続手段と、該接続手段に配される水流制御手段とを備えた、水圧式ノズルを有する局部洗浄装置。
【請求項２】
請求項１記載の局部洗浄装置において、前記水流制御手段には、前記第１流出口と前記洗浄水流入口との連通を遮断する遮断機構を備えた水圧式ノズルを有する局部洗浄装置。
【請求項３】
請求項１記載の局部洗浄装置において、前記遮断機構には、前記第1流出口から便器へ排水する排出路を設けた水圧式ノズルを有する局部洗浄装置。
【請求項４】
請求項１〜請求項３のいずれか１項に記載の局部洗浄装置において、前記シリンダより前方に前記洗浄水流入口に整合する第２流入口を設け、第２流入口を介して前記洗浄水流入口と第１流出口と連通した水圧式ノズルを有する局部洗浄装置。
【請求項５】
請求項４記載の局部洗浄装置において、前記洗浄水流入口と第２流入口とを水密に連結する連結手段を備えた水圧式ノズルを有する局部洗浄装置。
【請求項６】
請求項５記載の局部洗浄装置において、前記連結手段は、第２流入口に水が供給された時のみ、その水圧で洗浄水流入口と第２流入口とを水密状に連結する水圧式ノズルを有する局部洗浄装置。
【請求項７】
請求項１〜請求項６のいずれか１項に記載の局部洗浄装置において、更に前記シリンダの前傾角度を調整する調整手段を設けた水圧式ノズルを有する局部洗浄装置。
【請求項８】
請求項７記載の局部洗浄装置において、前記調整手段は、垂直シリンダと、該垂直シリンダ内に水を供給する供給手段と、垂直シリンダ内を上下に移動可能な角度変更用ピストンと、該角度変更用ピストンと前記シリンダとを連結する連結手段とにより構成した水圧式ノズルを有する局部洗浄装置。
【請求項９】
請求項１〜請求項６のいずれか１項に記載の局部洗浄装置において、前記水圧ノズルを複数本設けた水圧式ノズルを有する局部洗浄装置。
【請求項１０】
請求項１〜請求項６のいずれか１項に記載の局部洗浄装置において、洗浄水流入口及び洗浄水放出口を複数設け、前記流量調整手段は、該複数の洗浄水流入口のうちの何れか１つと第１流出口とを選択的に接続する手段である水圧式ノズルを有する局部洗浄装置。
【請求項１１】
後方シリンダ室と前方シリンダ室からなり、後方シリンダ室に第１流入口及び第１流出口を、前方シリンダ室に第２流入口及びノズル突出口を設けたシリンダと、第１流入口からの供給水圧により後方シリンダ室内を進退自在とされた進出ピストンと、受圧部と洗浄水流入口と洗浄水噴出口を有して前記受圧部が受ける水圧により前記シリンダ内を進退自在とされた水圧式ノズルと、前記第１流出口と第２流入口を接続する接続手段と、該接続手段に配される流路開閉手段とを備えた、水圧式ノズルを有する局部洗浄装置。
【請求項１２】
先端に洗浄水噴出口を有するノズルと、該ノズルを進退自在に支持するシリンダとよりなるノズル装置と、洗浄水供給源に連絡される洗浄水流入口及び前記洗浄水噴出口に連結される洗浄水流出口を有する流量調整弁とを備え、前記洗浄水流入口は前記ノズル進出時に開放するよう構成したことを特徴とする局部洗浄装置。
【請求項１３】
請求項１２記載の局部洗浄装置において、前記シリンダは上流側端部に第１流入口、該第１流入口より下流側に第１流出口を設け、前記第１流入口から供給される水により前記ノズルを進出させると共に、該第１流出口と前記洗浄水流入口とを連結したことを特徴とする局部洗浄装置。
【請求項１４】
請求項１３記載の局部洗浄装置において、前記シリンダには第１流出口よりも前側に洗浄水供給室を設け、更に前記ノズル後端に洗浄水連絡口を設け、該洗浄水連絡口と洗浄水流出口とを洗浄水供給室を介して連結したことを特徴とする局部洗浄装置。
【請求項１５】
請求項１４記載の局部洗浄装置において、前記流量調整弁をシリンダに一体化したことを特徴とする局部洗浄装置。
【請求項１６】
請求項１５記載の局部洗浄装置において、前記流量調整弁を外筒体と筒状弁体とで構成し、前記筒状弁体の回転軸をシリンダに平行に設けたことを特徴とする局部洗浄装置。
【請求項１７】
請求項１６記載の局部洗浄装置において、前記第１流出口と前記洗浄水流入口との間のシール及び前記洗浄水供給室と前記洗浄水流出口とのシールとを一体のシールパッキンにより構成し、該シールパッキンを介して流量調整弁を前記シリンダに一体化したことを特徴とする局部洗浄装置。
【請求項１８】
請求項１７記載の局部洗浄装置において、前記シールパッキンには前記洗浄水供給室内に突出するダイヤフラム部を有し、該ダイヤフラム部により前記洗浄水流出口と前記洗浄水連絡口とをダイヤフラム部に水圧がかかった時のみシールするよう構成したことを特徴とする局部洗浄装置。
【手続補正２】
【補正対象書類名】明細書
【補正対象項目名】０００８
【補正方法】変更
【補正の内容】
【０００８】
請求項４の発明においては、請求項１〜請求項３のいずれか１項に記載の発明に加え、前記シリンダより前方に前記洗浄水流入口に整合する第２流入口を設け、第２流入口を介して前記洗浄水流入口と第１流出口と連通したので、別途連結流路を必要とせずにノズルに水を供給することが可能となる。
【手続補正３】
【補正対象書類名】明細書
【補正対象項目名】００１１
【補正方法】変更
【補正の内容】
【００１１】
請求項７の発明においては、請求項１〜請求項６のいずれか１項に記載の発明に加え、更に前記シリンダの前傾角度を調整する調整手段を設けたので、おしり／ビデでの洗浄角度を変更することが可能となり、おしり／ビデに最適な洗浄角度でノズルを進出させることが可能となる。
【手続補正４】
【補正対象書類名】明細書
【補正対象項目名】００１３
【補正方法】変更
【補正の内容】
【００１３】
請求項９の発明においては、請求項１〜請求項６のいずれか１項に記載の発明に加え、前記水圧ノズルを複数本設けたので、おしり／ビデ夫々の洗浄形態にあった洗浄を行うことが可能となる。
【手続補正５】
【補正対象書類名】明細書
【補正対象項目名】００１４
【補正方法】変更
【補正の内容】
【００１４】
請求項１０の発明においては、請求項１〜請求項６のいずれか１項に記載の発明に加え、洗浄水流入口及び洗浄水放出口を複数設け、前記流量調整手段は、該複数の洗浄水流入口のうちの何れか１つと第１流出口とを選択的に接続する手段としたので、おしり／ビデ等の複数の噴出口の何れか１つからのみ洗浄水を噴出することができる。
【手続補正書】
【提出日】平成16年4月9日(2004.4.9)
【手続補正１】
【補正対象書類名】明細書
【補正対象項目名】発明の名称
【補正方法】変更
【補正の内容】
【発明の名称】バックアップ材付き拡翼鋼管杭およびソイルセメント合成鋼管杭
【手続補正２】
【補正対象書類名】明細書
【補正対象項目名】特許請求の範囲
【補正方法】変更
【補正の内容】
【特許請求の範囲】
【請求項１】
先端部外周に拡翼を突設した鋼管杭において、
前記拡翼より上方の鋼管杭外周面に突起を設けたことを特徴とするバックアップ材付き拡翼鋼管杭。
【請求項２】
前記突起が、板状乃至棒状の鋼材からなり、かつ鋼管杭の外周に固着したことを特徴とする請求項１記載のバックアップ材付き拡翼鋼管杭。
【請求項３】
先端部外周に突出された拡翼とその上方の外周に突出されたバックアップ材が設けられた鋼管杭の拡翼とバックアップ材とがソイルセメント柱体下部の根固め部に位置されていることを特徴とするソイルセメント合成鋼管杭。
【手続補正３】
【補正対象書類名】明細書
【補正対象項目名】０００１
【補正方法】変更
【補正の内容】
【０００１】
【発明の属する技術分野】
本発明は、建築関係の基礎工事等に適用される基礎杭としての拡翼鋼管杭およびその杭を用いたソイルセメント合成鋼管杭に関する。


【手続補正４】
【補正対象書類名】明細書
【補正対象項目名】０００８
【補正方法】変更
【補正の内容】
【０００８】
本発明は、このような従来の課題を解決した大きな押し込み力が作用しても破壊されず、長期にわたって大きな鉛直支持力を維持できるバックアップ材付き拡翼鋼管杭およびその杭を用いたソイルセメント合成鋼管杭を提供することを目的とする。


【手続補正５】
【補正対象書類名】明細書
【補正対象項目名】００１０
【補正方法】変更
【補正の内容】
【００１０】
また、本発明に係るバックアップ材付き拡翼鋼管杭は、前記突起が、板状乃至棒状の鋼材からなり、かつ鋼管杭の外周に固着したことを特徴とする。
さらに、本発明に係るソイルセメント合成鋼管杭は、先端部外周に突出された拡翼とその上方の外周に突出されたバックアップ材が設けられた鋼管杭の拡翼とバックアップ材とがソイルセメント柱体下部の根固め部に位置されていることを特徴とする。
【手続補正書】
【提出日】平成17年6月6日(2005.6.6)
【手続補正１】
【補正対象書類名】明細書
【補正対象項目名】００１９
【補正方法】変更
【補正の内容】
【００１９】
即ち、上記スラスト荷重が一方の玉軸受２６の内輪３３を介して、この内輪３３と当接している一方の出力側ディスク４に作用し、一方のキャビティに設けたパワーローラ８、８から一方の入力側ディスク２に伝わり、更に入力軸１６を介して他方の入力側ディスク２に伝わり、この他方の入力側ディスク２から他方のキャビティに設けたパワーローラ８、８を通じて、他方の出力側ディスク４に伝わる。そして、上記スラスト荷重は、この他方の出力側ディスク４の側に設けた玉軸受２６を介してケーシング１５の隔壁２３に伝わる。この様に上記スラスト荷重が伝わる場合に問題となるのは、上記一方のキャビティ部分では、上記スラスト荷重が出力側ディスク４の側から伝わり、他方のキャビティ部分では入力側ディスク２の側から伝わる点である。この様にスラスト荷重が伝わる方向がキャビティ毎に異なると、上記一方の入力側、出力側両ディスク２、４と各パワーローラ８、８との当接部の当接圧（押し付け力）と、他方の入力側、出力側両ディスク２、４と各パワーローラ８、８との当接部の当接圧とに差が生じる。この結果、当接圧が低い入力側、出力側両ディスク２、４の入力側、出力側両凹面２ｂ、４ｂと各パワーローラ８、８の周面８ａ、８ａとの転がり接触部で滑りが発生し、トロイダル型無段変速機の伝達効率が低下するだけでなく、著しい場合には焼き付き等の損傷が発生する可能性がある。この様な不都合を防止する為には、上記スラスト荷重を支承する為の止め輪を設ける等により、上記スラスト荷重が上記一方の出力側ディスク４に伝わらない様にする必要がある。但し、この様に止め輪を設けると、組立作業が面倒になるだけでなく、トロイダル型無段変速機の小型・軽量化を図りにくくなる。
従って、上記１対の玉軸受２６、２６を背面組み合わせにする事は難しい。
本発明のトロイダル型無段変速機は、この様な事情に鑑みて発明したものである。
【手続補正２】
【補正対象書類名】明細書
【補正対象項目名】００２３
【補正方法】変更
【補正の内容】
【００２３】
特に、本発明のトロイダル型無段変速機の場合には、１対の玉軸受の各作用点を、スリーブの中心軸上で軸方向に関しほぼ一致させる事により、このスリーブを傾斜させる方向のモーメントに対する剛性を極めて低く（ほぼ零に）している。即ち、上記スリーブを傾斜させる方向のモーメントを、上記１対の玉軸受で支承せず、上記スリーブの両端部外周面に支持する１対の出力側ディスクで支承する。言い換えれば、上記モーメントに基づいて、上記スリーブから上記１対の出力側ディスクに加わるラジアル荷重を、これら各出力側ディスクを上記入力軸に支持するラジアル軸受で支承する。従って、上記１対の玉軸受で上記モーメントを支承しない分、これら１対の玉軸受の寸法及びこれら１対の玉軸受を支持するケーシングの内側に固設した部材の寸法を小さくできる。又、上記スリーブに加わるスラスト荷重が何れか一方の出力側ディスクにのみ伝わる事を防止できる。この為、伝達効率の悪化を防止しつつ、上記１対の玉軸受の耐久性の向上並びにトロイダル型無段変速機の小型化を図れる。